(57)【要約】【課題】空気清浄機によって捕集された埃等の量を、更に分かり易くできる空気清浄機を提供することを目的とする。【解決手段】本体ケース１に設けられた操作手段２３と、本体ケース１外の埃の数を検知する埃センサーと、この埃センサーの値から清浄フィルタ４で捕集した埃の量を推測する埃量推測手段と、この埃量推測手段で推測した埃の量を表示する表示部２４と、送風手段６を、空清運転と、この空清運転より風量の小さい待機運転と、停止とに制御する制御手段とからなり、操作手段２３の留守番モードを選択すると、最初に、所定時間空清運転を行い、次に、待機運転に変わると共に、空清運転の間に埃量推測手段によって清浄フィルタ４で捕集したと推測した埃の量を表示部２４に表示するものである。【選択図】図８
2015020145.tif 000002
【特許請求の範囲】
【請求項１】
吹出口と吸込口を有する箱形状の本体ケースと、この本体ケース内に備えた空気清浄手段と、この空気清浄手段と前記吹出口との間に設けた送風手段と、前記本体ケースに設けられた操作手段と、前記本体ケース外の埃の数を検知する埃センサーと、この埃センサーの値から前記空気清浄手段で捕集した埃の量を推測する埃量推測手段と、この埃量推測手段で推測した埃の量を表示する表示部と、前記送風手段を、空清運転と、この空清運転より風量の小さい待機運転と、停止とに制御する制御手段とからなり、前記操作手段は、停止モードと手動運転モードと留守番モードとを有し、前記操作手段の留守番モードを選択すると、最初に、所定時間空清運転を行い、次に、待機運転に変わると共に、前記空清運転の間に前記埃量推測手段によって前記空気清浄手段で捕集したと推測した埃の量を前記表示部に表示することを特徴とする空気清浄機。
【請求項２】
前記空清運転時には、前記表示部は、点滅を繰り返すことを特徴とする請求項１に記載の空気清浄機。
【請求項３】
前記待機運転時に、前記操作手段の手動運転モードを選択すると、前記制御手段は、前記送風手段を手動運転モードで動作させ、前記空清運転の間に前記埃量推測手段によって前記空気清浄手段で捕集したと推測した埃の量を表示している前記表示部は、所定時間表示を継続することを特徴とする請求項１または２に記載の空気清浄機。
【請求項４】
前記待機運転時に、前記操作手段の停止モードを選択すると、前記制御手段は、前記送風手段を停止し、前記空清運転の間に前記埃量推測手段によって前記空気清浄手段で捕集したと推測した埃の量を表示している前記表示部は、所定時間表示を継続することを特徴とする請求項１から３のいずれかに記載の空気清浄機。
【請求項５】
前記制御手段は、前記空清運転より風量の小さい準備運転を有し、前記操作手段の留守番モードを選択すると、前記空清運転の前に前記準備運転を行うことを特徴とする請求項１から４のいずれかに記載の空気清浄機。
【請求項６】
前記準備運転時には、前記表示部は、点滅を繰り返すことを特徴とする請求項５に記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、吹出口と吸込口を有する箱形状の本体ケースと、この本体ケース内に備えた空気清浄手段と、この空気清浄手段と前記吹出口との間に設けた送風手段と、前記本体ケースに設けられた操作手段と、前記本体ケース外の埃の数を検知する埃センサーと、この埃センサーの値から前記空気清浄手段で捕集した埃の量を推測する埃量推測手段とを備えたものが知られている。（例えば、特許文献１参照）
【先行技術文献】
【特許文献】
【０００３】
【特許文献１】特開昭６３−８４６６０号公報
【発明の概要】
【発明が解決しようとする課題】
【０００４】
上記従来例の課題は、空気清浄機によって捕集された埃等の量を、更に分かり易くするということである。
【０００５】
すなわち、従来例は、空気清浄機を運転させ、清浄フィルタで埃等を捕集させ、清浄フィルタのメンテナンスが必要になれば報知できるものであった。しかし、空気清浄機を所定時間運転させ、その運転期間中にどれだけの埃等を捕集したかは、分かりにくいものであった。
【０００６】
そこで本発明は、空気清浄機によって捕集された埃等の量を更に分かり易くすることを目的とするものである。
【課題を解決するための手段】
【０００７】
そして、この目的を達成するために、本発明は、吹出口と吸込口を有する箱形状の本体ケースと、この本体ケース内に備えた空気清浄手段と、この空気清浄手段と前記吹出口との間に設けた送風手段と、前記本体ケースに設けられた操作手段と、前記本体ケース外の埃の数を検知する埃センサーと、この埃センサーの値から前記空気清浄手段で捕集した埃の量を推測する埃量推測手段と、この埃量推測手段で推測した埃の量を表示する表示部と、前記送風手段を、空清運転と、この空清運転より風量の小さい待機運転と、停止とに制御する制御手段とからなり、前記操作手段は、停止モードと手動運転モードと留守番モードとを有し、前記操作手段の留守番モードを選択すると、最初に、所定時間空清運転を行い、次に、待機運転に変わると共に、前記空清運転の間に前記埃量推測手段によって前記空気清浄手段で捕集したと推測した埃の量を前記表示部に表示することを特徴としたものである。
【０００８】
これにより、所期の目的を達成するものである。
【発明の効果】
【０００９】
以上のように本発明は、吹出口と吸込口を有する箱形状の本体ケースと、この本体ケース内に備えた空気清浄手段と、この空気清浄手段と前記吹出口との間に設けた送風手段と、前記本体ケースに設けられた操作手段と、前記本体ケース外の埃の数を検知する埃センサーと、この埃センサーの値から前記空気清浄手段で捕集した埃の量を推測する埃量推測手段と、この埃量推測手段で推測した埃の量を表示する表示部と、前記送風手段を、空清運転と、この空清運転より風量の小さい待機運転と、停止とに制御する制御手段とからなり、前記操作手段は、停止モードと手動運転モードと留守番モードとを有し、前記操作手段の留守番モードを選択すると、最初に、所定時間空清運転を行い、次に、待機運転に変わると共に、前記空清運転の間に前記埃量推測手段によって前記空気清浄手段で捕集したと推測した埃の量を前記表示部に表示することを特徴としたものである。
【００１０】
すなわち、操作手段の留守番モードを選択すると、最初に、所定時間空清運転を行い、次に、待機運転に変わる。ここで、空清運転の間に埃量推測手段によって空気清浄手段で捕集したと推測した埃の量を表示部に表示するものである。
【００１１】
このように、空気清浄機を所定時間運転させ、その運転期間中にどれだけの埃等を捕集したかが分かるので、空気清浄機によって捕集された埃等の量を更に分かり易くできるという効果を得ることができる。
【図面の簡単な説明】
【００１２】
【図１】本発明の実施の形態１の空気清浄機の外形を示す斜視図
【図２】同空気清浄機の正面から見た清浄風路全閉時の断面図
【図３】同空気清浄機の風量割合調節手段の斜視図
【図４】同空気清浄機の側面から見た清浄風路全開時の垂直断面図
【図５】同空気清浄機の上から見た清浄風路全開時の水平断面図
【図６】同空気清浄機の側面から見た清浄風路全閉時の垂直断面図
【図７】同空気清浄機の上から見た清浄風路全閉時の水平断面図
【図８】同空気清浄機の表示部を示す図
【発明を実施するための形態】
【００１３】
以下、本発明の実施の形態について図面を参照しながら説明する。
【００１４】
（実施の形態１）
図１から図３に示すように、本実施形態の加湿空気清浄機は、吹出口２と吸込口３を有する本体ケース１と、この本体ケース１内に、空気清浄手段の清浄フィルタ４と、加湿手段５と、送風手段６と、風量割合調節手段７とを備えている。
【００１５】
本体ケース１は、縦長箱形状で、天面には、吹出口２を設け、左右両側面には、吸込口３を備えている。吸込口３の内方には、第１の吸込口８と第２の吸込口９とを備えている。第１の吸込口８と第２の吸込口９とは、縦長四角形状で、上下に仕切り板１０によって仕切られている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。
【００１６】
清浄フィルタ４は、吸込口３と、第１の吸込口８および第２の吸込口９との間に設けられている。具体的には、第１の吸込口８および第２の吸込口９の外方で、本体ケース１における左右に１枚ずつ設けられている。清浄フィルタ４は、空気中の粉塵が除去できれば良く、例えば、高性能フィルタ、中性能フィルタ、あるいは静電フィルタなどがある。
【００１７】
加湿手段５は、第２の吸込口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００１８】
送風手段６は、第１の吸込口８より上方で、加湿手段５と吹出口２との間に設けている。送風手段６としては、ターボファン、軸流送風機等などがある。
【００１９】
送風手段６によって送風される風路は、清浄風路１１と加湿清浄風路１２とがある。
【００２０】
清浄風路１１は、送風手段６によって、第１の吸込口８から吸い込まれた空気が、清浄フィルタ４、送風手段６を介して吹出口２へ送風される風路である。加湿清浄風路１２は、送風手段６によって、第２の吸込口９から吸い込まれた空気が、清浄フィルタ４、加湿手段５、送風手段６を介して吹出口２へ送風される風路である。すなわち、送風手段６によって、清浄風路１１と加湿清浄風路１２との両方の風路から送風される。
【００２１】
風量割合調節手段７は、清浄風路１１における清浄フィルタ４と送風手段６との間であると共に、加湿清浄風路１２における加湿手段５と送風手段６との間に設けている。この風量割合調節手段７は、清浄風路１１の風量と加湿清浄風路１２の風量との割合を調節できる。
【００２２】
これにより、風量割合調節手段７は、清浄風路１１の風量と加湿清浄風路１２の風量との割合を調節できるので、加湿清浄風量だけを増加させることができる。結果として、加湿効率が向上する。
【００２３】
具体的には、風量割合調節手段７は、本体ケース１内に回動自在に設けられた円筒１３と、この円筒１３の側周面と接する遮蔽部１４と、円筒を回動する円筒回転手段とからなる。
【００２４】
円筒１３は、上下方向が軸方向で側周面に少なくとも１つの側面開口１６を備えている。
【００２５】
清浄風路１１は、円筒１３の側面開口１６から上面の上面開口１７へと連通している。加湿清浄風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２６】
遮蔽部１４は、本体ケース１内における、本体ケース１前面側と背面側とが、内方に突出し、先端が、円筒１３の外周の側周面に沿う形状である。
【００２７】
円筒回転手段は、円筒１３の上端側面に設けられた円環状のギア２２と、本体ケース１内に設けたステッピングモータ（図示せず）と、このステッピングモータによって回動する歯車（図示せず）とからなる。ステッピングモータによって、歯車が回動し、この歯車と噛み合っているギア２２が回動することにより、円筒１３が回動するものである。
【００２８】
以上の構成で、図４から図７に示すように、円筒１３が回動し、側面開口１６と遮蔽部１４とが重なると、重なった部分だけ、側面開口１６が小さくなる。これにより、風量割合調節手段７は、円筒１３を回動させ、遮蔽部１４によって側面開口１６を全開から全閉まで変化させることが出来る。すなわち、側面開口１６を全開から全閉することができるので、清浄風路１１を遮蔽し、加湿清浄風路１２のみとなり、加湿清浄風量だけを増加させることができる。
【００２９】
送風手段６は、空気清浄手段の清浄フィルタ４と吹出口２との間に設けられている。
【００３０】
本体ケース１には、図８に示すように、操作手段２３と、埃センサー（図示せず）と、埃量推測手段（図示せず）と、表示部２４とを備えている。埃量推測手段は、制御手段に備えられている。
【００３１】
埃センサーは、本体ケース１外の埃の数を検知することができる。
【００３２】
埃量推測手段は、埃センサーの値から清浄フィルタ４で捕集した埃の量を推測することができる。具体的には、埃センサーによって、検知した本体ケース１外の埃の数から検知レベルを算出し、更に、この検知レベルに所定時間を積算することで、埃量を推測するものである。
【００３３】
表示部２４は、埃量推測手段で推測した埃の量を表示する。表示部２４は、複数のレベルを表示できるものである。具体的には、３段階の表示である。３箇所の点灯部を備え、捕集量が第１の所定量より多い場合には、３つの点灯部が点灯する。捕集量が第１の所定量より少なく、第２の所定量より多い場合には、２つの点灯部が点灯する。捕集量が第２の所定量より少ない場合には、１つの点灯部が点灯する。
【００３４】
また、制御手段は、送風手段を、空清運転と、待機運転と、加湿空清運転と、停止とに制御することができる。
【００３５】
空清運転と、待機運転は、風量割合調節手段７の側面開口１６を全開にし、送風手段によって、清浄風路１１と加湿清浄風路１２との両方へ送風する運転である。待機運転は、空清運転より風量の小さい運転、すなわち、送風手段６における羽根の回転数が小さいものである。加湿空清運転は、風量割合調節手段７の側面開口１６を全閉にし、送風手段によって、清浄風路１１のみへ送風する運転である。停止は、送風手段を止めるものである。
【００３６】
操作手段は、停止モードと、手動運転モードと、留守番モードとを有している。手動運転モードを選択すると、空清運転または加湿空清運転を行うものである。
【００３７】
本実施形態における特徴は、操作手段２３の留守番モードを選択すると、最初に、所定時間空清運転を行い、次に、待機運転に変わると共に、空清運転の間に埃量推測手段によって清浄フィルタ４で捕集したと推測した埃の量を表示部２４に表示する点である。
【００３８】
すなわち、操作手段２３の留守番モードを選択すると、最初に、所定時間空清運転を行い、次に、待機運転に変わる。ここで、空清運転の間に埃量推測手段によって空気清浄手段で捕集したと推測した埃の量を表示部に表示するものである。
【００３９】
このように、空気清浄機を所定時間運転させ、その運転期間中にどれだけの埃等を捕集したかが分かるので、空気清浄機によって捕集された埃等の量を更に分かり易くできるという効果を得ることができる。
【００４０】
空清運転時には、表示部２４は、点滅を繰り返すものである。すなわち、埃の量を表示する３箇所の点灯部が点滅を繰り返すことで、空清運転により埃等を捕集していることを知らせることができる。
【００４１】
待機運転時に、操作手段の手動運転モードを選択すると、制御手段は、送風手段６を手動運転モードで動作させ、空清運転の間に埃量推測手段によって空気清浄手段で捕集したと推測した埃の量を表示している表示部２４は、所定時間表示を継続するものである。
【００４２】
すなわち、使用者が帰宅時等に操作手段により、空気清浄手段で捕集したと推測した埃等の量を確認せずに、他の運転モードに移行後も所定時間は空気清浄手段で捕集したと推測した埃等の量を確認することができる。
【００４３】
待機運転時に、操作手段２３の停止モードを選択すると、制御手段は、送風手段６を停止し、空清運転の間に埃量推測手段によって空気清浄手段で捕集したと推測した埃の量を表示している表示部２４は、所定時間表示を継続するものである。
【００４４】
すなわち、使用者が帰宅時等に操作手段により、空気清浄手段で捕集したと推測した埃等の量を確認せずに、運転を停止させても所定時間は空気清浄手段で捕集したと推測した埃等の量を確認することができる。
【００４５】
制御手段は、空清運転より風量の小さい準備運転を有し、操作手段２３の留守番モードを選択すると、空清運転の前に準備運転を行うものである。
【００４６】
すなわち、使用者が外出前に操作手段２３で留守番モードを選択しても、急に風量の大きい空清モードで運転を開始するのではなく、風量の小さいモードで準備運転を所定時間行い、使用者が外出した後、留守中に空清運転へと移行するため、大風量の運転音による不快感を与えないという効果を得ることができる。
【００４７】
準備運転時には、表示部は、点滅を繰り返すものである。
【００４８】
すなわち、使用者が操作手段２３で留守番モードを選択した際、埃の量を表示する３箇所の点灯部が点滅を繰り返すことで、準備運転中であることを知らせると同時に、所定時間後に空清運転へと移行するという予告表示の効果も得ることができる。
【産業上の利用可能性】
【００４９】
以上のように本発明は、吹出口と吸込口を有する箱形状の本体ケースと、この本体ケース内に備えた空気清浄手段と、この空気清浄手段と前記吹出口との間に設けた送風手段と、前記本体ケースに設けられた操作手段と、前記本体ケース外の埃の数を検知する埃センサーと、この埃センサーの値から前記空気清浄手段で捕集した埃の量を推測する埃量推測手段と、この埃量推測手段で推測した埃の量を表示する表示部と、前記送風手段を、空清運転と、この空清運転より風量の小さい待機運転と、停止とに制御する制御手段とからなり、前記操作手段は、停止モードと手動運転モードと留守番モードとを有し、前記操作手段の留守番モードを選択すると、最初に、所定時間空清運転を行い、次に、待機運転に変わると共に、前記空清運転の間に前記埃量推測手段によって前記空気清浄手段で捕集したと推測した埃の量を前記表示部に表示することを特徴としたものである。
【００５０】
すなわち、操作手段の留守番モードを選択すると、最初に、所定時間空清運転を行い、次に、待機運転に変わる。ここで、空清運転の間に埃量推測手段によって空気清浄手段で捕集したと推測した埃の量を表示部に表示するものである。
【００５１】
このように、空気清浄機を所定時間運転させ、その運転期間中にどれだけの埃等を捕集したかが分かるので、空気清浄機によって捕集された埃等の量を更に分かり易くできるという効果を得ることができ、家庭用や事務所用などの付空気清浄機にも適用できる。
【符号の説明】
【００５２】
１      本体ケース
２      吹出口
３      吸込口
４      清浄フィルタ
５      加湿手段
６      送風手段
７      風量割合調節手段
８      第１の吸込口
９      第２の吸込口
１０      仕切り板
１１      清浄風路
１２      加湿清浄風路
１３      円筒
１４      遮蔽部
１６      側面開口
１７      上面開口
１８      下面開口
２０      貯水容器
２１      加湿フィルター
２２      ギア
２３      操作手段
２４      表示部
【図１】
2015020145.tif 000003
【図２】
2015020145.tif 000004
【図３】
2015020145.tif 000005
【図４】
2015020145.tif 000006
【図５】
2015020145.tif 000007
【図６】
2015020145.tif 000008
【図７】
2015020145.tif 000009
【図８】
2015020145.tif 000010